(57)【要約】【課題】これまで考案されている薄膜フイルムからなるフイルムサングラスは、張りの無い薄膜なフイルムの、一方面の全面又はある程度の広い面に、粘着材が施されていた形態であったため、メガネレンズに貼り付ける際、気泡がレンズと薄膜フイルムの間に入ったり、しわ筋が出来たりなど、以外と、メガネレンズに美観的に問題なく貼り付けるのが難しく面倒であった。【解決手段】本考案は、ゴーグルメガネ形状の、若干張りのあるサングラスとするフイルムの左右両辺に、それぞれ、小さい面積の折りたたみ自在の摘まみ片を設け、そして、その小さい面積の折りたたみ自在の摘まみ片、又は、その摘まみ片が重合するフイルム面にだけ、粘着材を施すことにより、メガネレンズへの貼り付け装着や引き剥がしが極めて簡便になる。【選択図】図３
0003127473.tif 000002
【実用新案登録請求の範囲】
【請求項１】
サングラスとするフイルム本体（１）の左右両辺に、それぞれ、折りたたみ開閉が自在な摘まみ片（２）を設け、尚且つ、その折りたたみ開閉が自在な摘まみ片（２）に、軟粘着材（３）を施したのを特徴とする、フイルムサングラス。
【請求項２】
サングラスとするフイルム本体（１）の左右両辺に、それぞれ、折りたたみ開閉が自在な摘まみ片（２）を設け、尚且つ、その折りたたみ開閉が自在な摘まみ片（２）を折りたたんで閉じたときに、その折りたたみ開閉が自在な摘まみ片（２）と重合するサングラスとするフイルム本体（１）の面に、軟粘着材（３）を施したのを特徴とするフイルムサングラス。
【考案の詳細な説明】
【技術分野】
【０００１】本考案は、ネガネに装着するタイプの、フイルムからなるサングラスに関するものである。
【背景技術】
【０００２】フイルムの一方面に粘着材を施したカラーフイルムを、メガネを必要とする人が、常用しているネガネのレンズに貼着して、その常用のメガネをサングラスとして使用出来るようにする、レンズ貼着方式のフイルムサングラスが色々と考案されている。
【考案の開示】
【考案が解決しようとする課題】
【０００３】  別々の左右二枚を一対とするメガネレンズ形状や、左右一体とするゴーグルメガネ形状などに成形又は裁断されたサングラスとするフイルムは、フイルムの一方面の全面に軟粘着剤を施した方式や、フイルムの一方面の周囲又は四隅などの一部に軟粘着剤を施した方式などが存在する。
しかし、上記した二つの方式かちなるフイルムサングラスは、柔らかくて張力のない薄膜状のフイルムに軟粘着材が施された構成なので、メガネレンズに貼着する際、メガネレンズとフイルムとの間に気泡が入いったりする問題や、シワなどの筋跡が付いたり、レンズの適正な位置にきっちりと貼り付けられないなどの機能的及び美観的な問題があった。
さらに、一旦メガネレンズに貼りつけたフイルムサングラスを、そのメガネレンズから剥がすときにも、薄膜状であるために剥がしづらいという問題もあった。
またさらに、上記したフイルムサングラスは、何回でも貼り付けたり剥がしたりが出来る軟粘着材を使用しているにもかかわらず、剥がした後のアフターケアが難しい為、概ね一回だけしか使用できない、使い捨てタイプとされている。
【課題を解決するための手段】
【０００４】  本考案では、ある程度の張力が得られ、尚且つ、左右一体とするゴーグルメガネ形状のサングラスとするフイルム平板の左右両辺に、それぞれ折りたたみ開閉が自在とする摘まみ片を設け、そして、その折りたたみ開閉が自在とする摘まみ片を、メガネに装着固定する際の最も重要な機能部位とするのを狙いとする。
【考案の効果】
【０００５】本考案のフイルムサングラスは、メガネへの粘着や、粘着材の被覆が、すべて折りたたみ開閉が自在の摘まみ片の面積の範疇だけでカバーされるので、粘着面積が非常に少なくて着脱が非常に簡便でシンプルとなる。
しかも、着装中及び非着装中のいずれの状態でも、粘着材が必ず被着されているので、粘着材へのゴミや埃の付着が防がれるとともに粘着材の劣化も防止されて、使い捨てタイプではあるが、複数回は繰り返し使用できる。さらに、極めて軽量でしかも大変薄いフイルムであるが、若干の張力があるので、少し長い一枚のカードのような存在として日常的に身近に携帯するに大変に至便である。
【考案を実施するための最良の形態】
【０００６】任意なゴーグルレンズ形状にカット又は成形され、紫外線カット機能や偏光機能又は減光機能などを施し、尚且つ、若干の張力があるサングラスとするフイルム（１）の左右両辺に、れぞれ、任意の形状からなる折りたたみ開閉が自在な摘まみ片（２）を設ける。
そして、その折りたたみ開閉が自在な摘まみ片（２）に直接軟粘着材（３）を施す方式と、サングラスとするフイルム本体（１）側の、折りたたみ開閉が自在な摘まみ片（２）が重合する面に、軟粘着材（３）を施す方式とからなる。
【第一実施例】
【０００７】第一実施例は、［図１］で示すように、任意なゴーグルメガネ形状にカット又は成形された、紫外線カット機能や偏光機能などの意図する機能を施し、尚且つ、ある程度の張力が得られるサングラスとするフイルム本体（１）の左右両辺に、それぞれ、任意な形状からなる折りたたみ開閉が自在な摘まみ片（２）を形成する。
そして、［図２］で示すように、その折りたたみ開閉が自在な摘まみ片（２）の、折りたたむ側の面に、軟粘着材（３）を塗着又は貼着して施す。
そして、［図３］で示すように、その軟粘着材（３）を施した折りたたみ開閉が自在な摘まみ片（２）を、サングラスとするフイルム本体（１）に折り重ね合わせて軟粘着状態とすることにより閉じておき、これをもって本考案の第一実施例からなるフイルムサングラスの非着装中の状態とする。
図面は省略するが、本考案の第一実施例からなるフイルムサングラスは、折り重ねて軟粘着状態で閉じた状態にある、折たたみ開閉が自在な摘まみ片（２）を、サングラスとするフイルム本体（１）の両辺からそれぞれ引き剥がして、折りたたみ開閉が自在な摘まみ片（２）の軟粘着材（３）を表出させる。
そして、その軟粘着材（３）を表出させた両辺の折りたたみ開閉が自在な摘まみ片（２）を、メガネレンズの所定の位置にそれぞれ位置させてから粘着させることにより、フイルムサングラスをメガネに着装させる。
第一実施例からなるフイルムサングラスは、左右両辺に設けた折りたたみ開閉が自在な摘まみ片（２）に、軟粘着剤（３）を施したのを特徴とする。
なお、第一実施例からなるフイルムサングラスにおいて、折りたたみ開閉が自在な摘まみ片（２）に、軟粘着材（３）を施す形態としては、折りたたみ開閉が自在な摘まみ片（２）の、折りたたむ側の全面に軟粘着材（３）を設ける形態の他、折りたたみ開閉が自在な摘まみ片（２）の、折たたむ側のある一定の面だけに軟粘着材（３）を施す形態でも一向にかまわないものである。
【第二実施例】
第二実施例は、［図１］で示したように、サングラスとするフイルム本体（１）の左右両辺に、折りたたみ開閉が自在な摘まみ片（２）を形成する。
そして、［図４］で示すようにサングラスとするフイルム本体（１）の、折りたたみ開閉が自在な摘まみ片（２）が折り重なり合う面内に軟粘着剤（３）を塗着又は貼着して施す。
そして、［図５］で示すように、そのサングラスとするフイルム本体（１）に設けた軟粘着材（３）に、折りたたみ開閉が自在な摘まみ片（２）を折りたたんで重ね合せて軟粘着状態とすることにより、折りたたみ開閉が自在な摘まみ片（２）を、サングラスとするフイルム本体（１）に施した軟粘着材（３）の被覆シール部となして非着装中の状態とし、これをもって本考案の第二実施例からなるフイルムサングラスとする。
図面は省略するが、第二実施例からなるフイルムサングラスは、折り重ねて軟粘着状態にある、軟粘着材（３）の被覆シール部とした折たたみ開閉が自在な摘まみ片（２）を、サングラスとするフイルム本体（１）の両辺からそれぞれ引き剥がして、サングラスとするフイルム本体（１）に施した軟粘着材（３）を表出させる。
そして、そのサングラスとするフイルム本体（１）の左右両辺に施された軟粘着材（３）を、メガネレンズの所定の位置にそれぞれ位置させてから粘着させることにより、フイルムサングラスをメガネに着装させる。
なお、第二実施例からなるフイルムサングラスにおいて、サングラスとするフイルム本体（１）の方に軟粘着材（３）を施す形態としては、折りたたみ開閉が自在な摘まみ片（２）が重合する面内の全面に軟粘着材（３）を施す形態と
折りたたみ開閉が自在な摘まみ片（２）が重合する面内の任意の一部の範囲面だけに軟粘着材（３）を施す形態のどちらでもよい。
そして、本考案の第一実施例及び第二実施例からなるフイルムサングラスをメガネより外すときは、折りたたみ開閉が自在な摘まみ片（２）を摘まんで、フイルムサングラスをメガネレンズより引き剥がして外し、そして、そのまま折りたたみ開閉が自在な摘まみ片（２）を、サングラスとするフイルム本体（１）側にたたんで閉じ戻すだけで、折りたたみ開閉が自在な摘まみ片（２）が軟粘着材（３）の被覆シールとなって非着装状態に戻される。
このように、折たたみ開閉が自在な摘まみ片（２）を左右両辺に形成したのを大きな特徴とする本考案のフイルムサングラスは、折りたたみ開閉が自在な摘まみ片（２）が、摘まみの機能と、粘着材を保護する被覆シールの機能、そして、粘着材の下地材とする機能の、三つの機能を兼用する優れものである。
なお、第一実施例及び第二実施例からなるフイルムサングスにおいて、折りたたみ開閉が自在な摘まみ片（２）は、折り曲げ易いように、予め折り目とする位置に折り筋を設けておいて折り曲げる方法と、折り筋を設けないで、後から折り曲げて、結果的に折り癖が付く方法のいずれでもかまわない。
それから、第一実施例及び第二実施例からなるフイルムサングスに付設する軟粘着材（３）は、糊状の粘着剤を初め、両面粘着テープ材など、いずれの粘着材でも一向にかまわないものである。
さらに、折りたたみ開閉が自在な摘まみ片（２）の形状は、楕円や半円及びハート形など、任意の形状とするものである。
それから、これまで考案されているフイルムサングラスの中に、摘まみ片とするタックを一部形成したものもあるが、それらは、引き剥がしやすいように、あくまでも摘まみ片だけの機能として摘まみ片が形成されているフイルムサングスであって、
摘まみ片を折りたた開閉が自在とされ、なおかつ、その折りたたみ開閉が自在な摘まみ片（２）を、粘着部や、粘着材の被覆シール部となした本考案のフイルムサングラスとは大きく相違するものである。
【産業上の利用可能性】
【０００９】
【図面の簡単な説明】
【００１０】
【図１】ゴーグルメガネ形状からなるサングラスとするフイルム本体（１）の左右両辺に、折りたたみ自在の摘まみ片（２）を設けたのを示した正面図である。
【図２】本考案の第一実施例からなるサングラスとするフイルム本体（１）の、左右両辺に設けた、折りたたみ自在の摘まみ片（２）に、軟粘着材（３）を付設したのを示した正面図である。
【図３】本考案の第一実施例による、サングラスとするフイルム本体（１）の左右両辺に設けた、折りたたみ自在のつまみ片（２）を、折りたたんだ状態としたのを示した正面図である。（軟粘着材（３）は、折りたたみ自在の摘まみ片（２）の内側に隠れる）
【図４】本考案の第二実施例からなる、左右両辺に折りたたみ自在な摘まみ片（２）を設けたサングラスとするフイルム本体（１）の、その折りたたみ自在な摘まみ片（２）が折り重なる面に、軟粘着材（３）を施したのを示した正面図である。
【図５】本考案の第二実施例による、サングラスとするフイルム本体（１）の左右両辺の、折りたたみ自在な摘まみ片（２）が折り重なる面に付設した軟粘着材（３）に、それぞれ、折りたたみ自在な摘まみ片（２）を、折りたたんで重ね合せたのを示した正面図である。（軟粘着材（３）は、折りたたみ自在な摘まみ片（２）の内側に隠れる）
【符号の説明】
【００１１】（１）サングラスとするフイルム本体
（２）折りたたみ開閉が自在の摘まみ片
（３）軟粘着材
【図１】
0003127473.tif 000003
【図２】
0003127473.tif 000004
【図３】
0003127473.tif 000005
【図４】
0003127473.tif 000006
【図５】
0003127473.tif 000007